(57)【特許請求の範囲】
【請求項１】
鉄骨造の軸組みによって構成される鉄骨造建物内部の床開口部に用いられる仮設足場であって、
前記床開口部の周縁の梁に接続された複数の支柱と、
該支柱間に対向するように架け渡された一対の水平材と、
該一対の水平材間に架け渡され、前記床開口部の上方に設けられた作業床と、を備えることを特徴とする仮設足場。
【請求項２】
前記支柱の上端には、前記作業床から所定の高さ起立した手摺が連結されたことを特徴とする請求項１に記載の仮設足場。
【請求項３】
前記作業床は、平面視長方形の複数の板部材から構成されることを特徴とする請求項１または２に記載の仮設足場。
【請求項４】
前記床開口部には下階床との連絡用の階段が設けられており、複数の前記板部材は、前記階段の上方において、前記床開口部の周縁から前記階段を降りる方向に沿って並ぶことを特徴とする請求項３に記載の仮設足場。
【請求項５】
床開口部が形成される階の床を構築したのち、請求項１〜４のいずれか一項に記載の仮設足場を設置し、該仮設足場を用いて前記床開口部周辺の架構を構築することを特徴とする建物の構築方法。
【請求項６】
更に、前記仮設足場を用いて前記床開口部周辺の内装天井及び壁を構築することを特徴とする請求項５に記載の建物の構築方法。
【発明の詳細な説明】
【技術分野】
【０００１】
本発明は、仮設足場、及び建物の構築方法に関する。
【背景技術】
【０００２】
従来より、建物の中間階に吹抜け等の床開口部が形成されている場合、床開口部に周辺の工事をする為の仮設物を設けることが行われていた。例えば、ローリングタワー等のやぐら状の足場を立ち上げたり（特許文献１参照）、床開口部に仮設の蓋を設けること（特許文献２参照）などが行なわれてきた。
【先行技術文献】
【特許文献】
【０００３】
【特許文献１】特開平８−０２８０３０号公報
【特許文献２】特開平５−２２２８４４号公報
【発明の概要】
【発明が解決しようとする課題】
【０００４】
しかしながら、やぐら状の足場を用いる場合は、利用できる場所が限定されてしまうという問題がある。例えば、床開口部が階段の設置される階段室である場合、足場と階段とが干渉してしまうため、やぐら状の足場を用いることはできない。また、床開口部を蓋で塞いでしまうと、作業中に床開口部を使用した作業を行えなくなるという問題がある。例えば、大規模な建物であれば専用の昇降機や階段を建物の外部に別途設けることも可能である。しかし、戸建て住宅等の小規模な建物の場合、スペースやコストの制約から大掛かりな仮設物や仮設設備を採用することが難しく、例えば、本設の階段を工事の初期の段階で設置し、床開口部を通過して作業者の昇降或いは資材等の搬入搬出を行うことが多い。従って、床開口部を蓋で塞ぐことなく、仮設足場を設置した状態であっても床開口部を使用できるようにしておくことが求められる。
【０００５】
本発明は、このような問題を解決するためになされたものであり、戸建て住宅等の小規模な建物における床開口部であっても、仮設足場を設置した状態において、作業者の昇降あるいは資材等の搬入搬出に支障をきたすことなく、床開口部を使用することができる床開口部用の仮設足場を提供することを目的とする。
【課題を解決するための手段】
【０００６】
上記課題を解決するため、本発明に係る仮設足場は、鉄骨造の軸組みによって構成される鉄骨造建物内部の床開口部に用いられる仮設足場であって、床開口部の周縁の梁に接続された複数の支柱と、該支柱間に対向するように架け渡された一対の水平材と、該一対の水平材間に架け渡され、床開口部の上方に設けられた作業床と、を備えることを特徴とする。
【０００７】
本発明に係る仮設足場によれば、支柱が床開口部の周縁の梁に接続され、該支柱間の水平材に作業床を架け渡す構成となっている。従って、床開口部を有する床よりも高い位置に水平材を配置しておくことによって、作業床が支柱によって床面よりも高い位置に仮設される構成とすることができる。支柱は、床開口部の周縁の梁に接続されているため、下階床と床開口部を連絡する構造物（例えば階段など）とは干渉することがなく、作業床も支柱によって床面より高い位置に仮設することができるため、床開口部を塞がない。すなわち、仮設足場を用いて上階の梁・床等の架構、床開口部の上方の天井、床開口部に周辺の壁を構築する作業を安全に行なう一方で、他の作業者は、作業床と床開口部の周縁との間のスペースを通過することによって、床開口部を使用しての昇降あるいは資材等の搬入搬出を行うことができる。また、昇降機などの専用装置ややぐら状の大型の足場に比して大幅に簡単な構成で仮設足場を設置することが可能となるため、戸建て住宅等の小規模な建物に有効に適用することができる。以上によって、仮設足場を設置した状態であっても、作業者の昇降あるいは資材等の搬入搬出などに支障をきたすことなく、床開口部を使用することができる。
【０００８】
また、本発明に係る仮設足場において、支柱の上端には、作業床から所定の高さ起立した手摺が連結されることが好ましい。このように、支柱の上端に手摺を備えることで、作業床での作業を安全に行うことができる。
【０００９】
また、本発明に係る仮設足場において、作業床は、平面視長方形の複数の板部材から構成されることが好ましい。作業床が複数の板部材に分割されて一枚あたりの重さが抑えられているので、仮設作業を安全に行なうことができる。
【００１０】
また、本発明に係る仮設足場において、床開口部には下階床との連絡用の階段が設けられており、複数の板部材は、階段の上方において、床開口部の周縁から階段を降りる方向に沿って並ぶことが好ましい。複数の板部材は、床開口部の周縁、すなわち階段の登り切り位置から階段を降りる方向に沿って並んでいるため、登り切り位置側における板部材を取り外すことによって、床開口部の周縁と作業床との間のスペースを広くすることができる。従って、階段の登り切り位置側における一部の板部材のみを一時的に取り外すことで、登り切り位置付近において充分な高さを確保することができ、例えば階段を用いた長大な建築資材等の搬入作業をスムーズに行なうことができる。
【００１１】
また、本発明に係る建物の構築方法は、床開口部が形成される階の床を構築したのち、上述の仮設足場を設置し、該仮設足場を用いて床開口部周辺の架構を構築することを特徴とする。更に、仮設足場を用いて床開口部周辺の内装天井及び壁を構築することが好ましい。
【００１２】
本発明に係る建物の構築方法では、上述の仮設足場を使用することによって、床開口部周辺の架構や内装天井及び壁の構築作業を極めて安全に行なうことができる。
【発明の効果】
【００１３】
本発明によれば、仮設足場を設置した状態であっても、作業者の昇降あるいは資材等の搬入搬出などに支障をきたすことなく、床開口部を使用することができる。
【図面の簡単な説明】
【００１４】
【図１】本発明の実施形態に係る仮設足場、及び当該仮設足場が設置された建物の構造を示す図である。
【図２】本発明の実施形態に係る仮設足場を前面梁側から見た図である。
【図３】本発明の実施形態に係る仮設足場を上方から見た図である。
【発明を実施するための形態】
【００１５】
以下、図面を参照しつつ本発明に係る仮設足場、及び建物の構築方法の好適な実施形態について詳細に説明する。
【００１６】
図１を参照して、本発明に係る仮設足場１が設けられる建物ＳＴの構成について説明する。図１は、本発明の実施形態に係る仮設足場１、及び当該仮設足場１が設置された建物ＳＴの構造を示す図である。図１に示すように、建物ＳＴは、鉄骨造の軸組み（柱、梁）から構成される二階建ての戸建て住宅である。一例として、建物ＳＴは、二階建ての３０５ｍｍの平面モジュールと、所定の階高（例えば、２８９０ｍｍであり、梁下の位置で住宅として平均的な天井高２４００ｍｍが確保される寸法である）を有する二階建ての工業化住宅である。この建物ＳＴでは、Ｈ形鋼からなる二階床梁の上フランジの上にＡＬＣからなる床パネルを架け渡すことによって二階床Ｆ２が構成されている。二階床梁の上フランジ、下フランジ及びウェブには、平面モジュールに基づくピッチで、他の部材とのボルト接合のためのボルト孔が穿設されている。
【００１７】
二階床Ｆ２の階段室の領域には、矩形状（例えば、１８３０ｍｍ×１８３０ｍｍ）の床開口部ＦＨが形成されている。この床開口部ＦＨの周縁部の四辺には、それぞれ二階床梁が配置されている（図２及び図３参照）。具体的には、床開口部ＦＨの周縁部には、階段の登り切り位置ＵＰ（登り始め位置ＤＰ）側における前面梁Ｈ１と、前面梁Ｈ１と水平をなすと共に外壁Ｗ側に配置されている背面梁Ｈ２と、前面梁Ｈ１及び背面梁Ｈ２と直交する第一側面梁Ｈ３及び第二側面梁Ｈ４とが配置されている。床開口部ＦＨには一階床Ｆ１との連絡用の階段ＳＰが設けられている。階段ＳＰは、鉄骨部材から構成されると共に、Ｕターン形式のものである。階段ＳＰは、一階床Ｆ１に載置されると共に、二階の登り切り位置ＵＰで前面梁Ｈ１のウェブにボルト接合される。
【００１８】
次に、図１〜図３を参照して、建物ＳＴの床開口部ＦＨに設置される仮設足場１の構成について説明する。図２は、本実施形態に係る仮設足場１を前面梁Ｈ１側（すなわち、図１においてＡで示される方向）から見た図である。図３は、本実施形態に係る仮設足場１を上方（すなわち、図１においてＢで示される方向）から見た図である。図１〜図３に示すように、仮設足場１は、ブラケット１０Ａ，１０Ｂ，１０Ｃ、１０Ｄ、下部支柱（支柱）２０Ａ，２０Ｂ，２０Ｃ，２０Ｄ、背面ビーム３０、側面ビーム（水平材）４０、作業床５０、上部支柱（手摺）６０、桟材（手摺）７０、及び手摺ユニット８０を備えて構成されている。なお、図１〜図３では、仮設足場１の構成を説明するために、適宜、一部が破断され、一部が断面で示され、一部の構成要素が省略されている。例えば、図１では紙面前側に示される下部支柱２０Ａ，２０Ｂの下端部付近が破断されており、ブラケット１０Ｃ，１０Ｄの構成が示されている。また、図２では作業床５０及び側面ビーム４０の一部の断面が示されている。また、図３では、二階床の床パネルが省略され、上部支柱６０及び桟材７０も省略されている。更に、図３では、階段ＳＰの段板の配置が点線で示されている。
【００１９】
ブラケット１０Ａ，１０Ｂ，１０Ｃ、１０Ｄは、ウェブのボルト孔を利用して側面梁Ｈ３，４のウェブに固定されると共に、下部支柱２０Ａ，２０Ｂ，２０Ｃ，２０Ｄをそれぞれ支持する部材である。ブラケット１０Ａは、第一側面梁Ｈ３のウェブにおける背面梁Ｈ２側に固定される。ブラケット１０Ｂは、第一側面梁Ｈ３のウェブにおける前面梁Ｈ１側に固定される。ブラケット１０Ｃは、第二側面梁Ｈ４のウェブにおける背面梁Ｈ２側に固定される。ブラケット１０Ｄは、第二側面梁Ｈ４のウェブにおける前面梁Ｈ１側に固定される。ブラケット１０Ａ，１０Ｂ，１０Ｃ、１０Ｄは、それぞれの位置において上下方向に二つずつ取り付けられている。これによって、下部支柱２０Ａ，２０Ｂ，２０Ｃ，２０Ｄの下端部を上下方向の二箇所で支持することができ、支持強度を向上させると共に、がたつきを防止することができる。
【００２０】
ブラケット１０Ａ，１０Ｂ，１０Ｃ、１０Ｄは、側面梁Ｈ３，Ｈ４のウェブに当接される当接部１１と、当接部１１から突設されて上向きに曲げられた複数のフック１２と、当接部１１からフック１２の反対側へ延びるアーム１３と、アーム１３の先端に設けられた円筒状の支柱保持部１４と、を備えて構成されている。ブラケット１０Ａ，１０Ｂ，１０Ｃ、１０Ｄの取り付け時においては、当接部１１を側面梁Ｈ３，Ｈ４のウェブに対して傾斜させてフック１２を当該ウェブのボルト孔に挿通させ、その後起立させて当接部１１をウェブに当接させる。これによって、当接部１１とフック１２とでウェブを挟み込む状態となり、ボルト等を用いることなくブラケット１０Ａ，１０Ｂ，１０Ｃ、１０Ｄを固定することができる。具体的に、背面梁Ｈ２側のブラケット１０Ａ，１０Ｃは、コーナー部から３０５ｍｍ前面梁Ｈ１寄りの位置のボルト孔が使われて取り付けられている。前面梁Ｈ１側のブラケット１０Ｂ，１０Ｄは、階段ＳＰを構成する部材のうち登り切り位置ＵＰ付近の部材との干渉を避ける為に、コーナー部から６１０ｍｍ背面梁Ｈ２寄りのボルト孔を使って取り付けられている。なお、ブラケット１０Ａ，１０Ｂ，１０Ｃ、１０Ｄのより詳細な構成及び取り付け方法は、特開平０９−０４１６５４号公報に説明されており、本実施形態におけるブラケットも当該公報に記載の取付金具に準ずる。
【００２１】
下部支柱２０Ａ，２０Ｂ，２０Ｃ，２０Ｄは、床開口部ＦＨの周縁の側面梁Ｈ３，Ｈ４にブラケット１０Ａ，１０Ｂ，１０Ｃ、１０Ｄを介して接続されると共に、後述のビーム３０，４０を架け渡すパイプ状の部材である。下部支柱２０Ａがブラケット１０Ａに固定され、下部支柱２０Ｂがブラケット１０Ｂに固定され、下部支柱２０Ｃがブラケット１０Ｃに固定され、下部支柱２０Ｄがブラケット１０Ｄに固定される。下部支柱２０Ａ，２０Ｂ，２０Ｃ，２０Ｄは、上下方向に延びる本体部２１と、ブラケット１０Ａ，１０Ｂ，１０Ｃ、１０Ｄに固定される本体部２１の下端側の固定部２２と、本体部２１を固定部２２から床開口部ＦＨ側へオフセットさせるオフセット部２３と、を備えている。固定部２２は、ブラケット１０Ａ，１０Ｂ，１０Ｃ、１０Ｄの支柱保持部１４に挿通されて、支柱保持部１４の側面のボルトを締めることで固定されている。また、オフセット部２３によって、本体部２１が固定部２２よりも床開口部ＦＨ側へオフセットしているため、階段室に面する内装壁の施工が行い易くなる。
【００２２】
下部支柱２０Ａ，２０Ｂ，２０Ｃ，２０Ｄの本体部２１には、所定の高さにビーム３０，４０を取り付けるための上段ビーム取付片２４及び下段ビーム取付片２５が設けられている。上段ビーム取付片２４及び下段ビーム取付片２５は、本体部２１の周面から所定距離離間させた二枚のプレートを延ばし、二枚のプレート間の隙間を底面壁で塞ぐことによって構成されている。また、二枚のプレートには、ピンを挿通するための貫通孔が形成されている。上段ビーム取付片２４及び下段ビーム取付片２５は、下部支柱２０Ａ，２０Ｂ，２０Ｃ，２０Ｄの汎用性を持たせるために、固定部２２側を除いた三方向に設けられている。すなわち、下部支柱２０Ａ，２０Ｂ，２０Ｃ，２０Ｄはいずれも同一の構成となる。例えば、下部支柱の取付位置に応じてビーム３０，４０の取り付けに必要なビーム取付片２４，２５のみを設けた場合、仮設足場１の組み立て時において、どの下部支柱をどのブラケットに固定するかを考慮する必要が生じる。一方、三方向にビーム取付片２４，２５を設けて汎用性を持たせることにより、取り付ける位置によらず、同じ下部支柱を使用することが可能となる。上段ビーム取付片２４の上側には、床開口部ＦＨ側にビーム取付片２６が更に設けられている。このビーム取付片２６にビーム３０を取り付けてもよい。
【００２３】
背面ビーム３０、側面ビーム４０は、両端がビーム取付片２４，２５，２６の形状に対応した形状となっているパイプ状の部材である。これらの背面ビーム３０及び側面ビーム４０は、仮設足場１の剛性向上の為に下部支柱間に架け渡される。また、上段側において下部支柱間に対向するように架け渡された一対の側面ビーム４０は、作業床５０の支持を行うことができる。更に、下段側において下部支柱間に対向するように架け渡された一対の側面ビーム４０は、二階床Ｆ２と作業床５０との間からの転落防止を行うことができる。背面ビーム３０及び側面ビーム４０の両端には、ピンを挿通させるための貫通孔が形成された一枚のプレートが設けられている。当該プレートをビーム取付片２４，２５，２６における二枚のプレートの間に挟み、貫通孔にピンを挿通して固定することによって、背面ビーム３０、側面ビーム４０が下部支柱２０Ａ，２０Ｂ，２０Ｃ，２０Ｄに固定される。背面ビーム３０は、背面梁Ｈ２側に配置されている下部支柱２０Ａと下部支柱２０Ｃの下段ビーム取付片２５に架け渡されている。側面ビーム４０は、第一側面梁Ｈ３側に配置されている下部支柱２０Ａと下部支柱２０Ｂの上段ビーム取付片２４及び下段ビーム取付片２５にそれぞれ架け渡されている。また、側面ビーム４０は、第二側面梁Ｈ４側に配置されている下部支柱２０Ｃと下部支柱２０Ｄの上段ビーム取付片２４及び下段ビーム取付片２５にそれぞれ架け渡されている。なお、背面ビーム３０は、上段ビーム取付片２４に架け渡してもよく、あるいは上段ビーム取付片２４及び下段ビーム取付片２５の両方に架け渡してもよい。また、側面ビーム４０は、少なくとも作業床５０を架け渡すことができればよく、上段ビーム取付片２４及び下段ビーム取付片２５のうち作業床５０を架け渡さない方を省略してもよい。
【００２４】
作業床５０は、仮設足場１において作業者が足場として作業を行う部分である。作業床５０は、平面視長方形の複数の板部材５１Ａ，５１Ｂ，５１Ｃ，５１Ｄから構成されている。具体的には、上段側の側面ビーム４０間に板部材５１Ａ，５１Ｂ，５１Ｃ，５１Ｄが架け渡される。また、板部材同士の間に隙間が生じないように並べられる。この板部材５１Ａ，５１Ｂ，５１Ｃ，５１Ｄは、床開口部ＦＨの周縁（ここでは前面梁Ｈ１側における階段ＳＰの登り切り位置ＵＰ）から階段ＳＰを降りる方向Ｄ１に沿って並べられている。本実施形態では、側面梁Ｈ３，Ｈ４が延びる方向に沿って並べられている。板部材５１Ａ，５１Ｂ，５１Ｃ，５１Ｄの両端付近における下面には、下駄の歯状の一対の突起部５２がそれぞれ形成されている。板部材５１Ａ，５１Ｂ，５１Ｃ，５１Ｄは、突起部５２で側面ビーム４０を挟み込むようにして、当該側面ビーム４０に載置される。これによって作業床５０の面剛性が確保される。作業床５０の高さは二階床Ｆ２から６５０〜７００ｍｍ程度に設定される。なお、下段側の側面ビーム４０に作業床５０を架け渡してもよい。
【００２５】
作業床５０における前面梁Ｈ１側は、セットバックしている。すなわち、板部材５１Ａと階段ＳＰの登り切り位置ＵＰとの間にスペースが設けられる。従って、仮設足場１を使用して作業を行っている最中であっても、階段ＳＰを昇降する他の作業者は屈み込むような姿勢をとることによって登り切り位置ＵＰ付近において床開口部ＦＨを通過することが可能となる。更に、板部材５１Ａ，５１Ｂ，５１Ｃ，５１Ｄは階段ＳＰを降りる方向Ｄ１に沿って並べられていると共に、側面ビーム４０から取り外し可能である。従って、前面梁Ｈ１側の板部材５１Ａ、更に板部材５１Ｂを一時的に取り外すことによって、更に十分なヘッドクリアランスを確保することができる。階段ＳＰを使用して長大な部材を搬入出する場合には、更に取り外す枚数を増やすことで、搬入出の作業性を高めることができる。
【００２６】
上部支柱６０、桟材７０は、作業床５０上での作業時の転落防止の為の手摺を構成する部材である。上部支柱６０及び桟材７０は、下部支柱２０Ａ，２０Ｂ，２０Ｃ，２０Ｄの上端に連結されて、作業床５０から所定の高さ起立した手摺を構成する。上部支柱６０は、下部支柱２０Ａ，２０Ｂ，２０Ｃ，２０Ｄより一回り小さな径を有するパイプ状の部材であり、下部支柱２０Ａ，２０Ｂ，２０Ｃ，２０Ｄの上端の空洞部にそれぞれ差し込まれることで固定される。また、上部支柱６０の中間部と上端部には桟材７０を取り付ける為の桟材取り付け片が設けられている。桟材７０は、パイプ状の部材であり、両端部は上部支柱６０の桟材取り付け片に固定される。
【００２７】
手摺ユニット８０は、二階床Ｆ２からの転落を防止するための柵である。上述のように、仮設足場１での作業中においても階段ＳＰを使用した昇降を可能とする必要があるため、前面梁Ｈ１側においては下部支柱２０Ｂと下部支柱２０Ｄとの間にビームを架け渡すことができない。従って、二階において、登り始め位置ＤＰに対応する位置に手摺ユニット８０を配置することによって、落下を防止する。手摺ユニット８０は、平面視Ｌ字状の片持ち形式の手摺である。手摺ユニット８０は、下部支柱２０Ｂの上段ビーム取付片２４に固定されると共に、下部支柱２０Ｂの周面にクランプ８１にて取り付けられる。なお、階段ＳＰのＵターン方向が逆になった場合は、手摺ユニット８０は、下部支柱２０Ｄに取り付けられる。
【００２８】
次に、仮設足場１を用いた本実施形態に係る建物の構築方法について説明する。まず、柱や梁などの軸組みが構築され、躯体工事で一階床Ｆ１、二階床Ｆ２及び階段ＳＰが構築される。その後、直ちに床開口部ＦＨに対して仮設足場１が設置される。この仮設足場１を用いて床開口部ＦＨ周辺の架構の構築が行われる。また、仮設足場１を用いて床開口部ＦＨ周辺の内装天井及び壁の構築が行われる。具体的に、仮設足場１は、躯体工事において、屋根梁、ＡＬＣからなる屋根パネル、二階外壁パネル等の取り付け工程などで使用される。作業床５０の高さは平均的な身長の成人男性であれば、屋根梁、ＡＬＣからなる屋根パネルに十分手が届く高さである。更に、躯体工事が完了した後も、引き続き、木工事、電気工事、内装仕上工事等に適宜使用された後、撤去される。下部支柱２０Ａ，２０Ｂ，２０Ｃ，２０Ｄ、ビーム３０，４０、上部支柱６０、桟材７０は床開口部ＦＨの周縁からオフセットしているので、上記工事に支障がない。但し、ブラケット１０Ａ，１０Ｂ，１０Ｃ，１０Ｄが取り付いている部分及びその周辺については、壁のボード（石膏ボード）貼り工事やクロス等の仕上げ工事ができないので、仮設足場１の撤去後の工事となる。
【００２９】
次に、本実施形態に係る仮設足場１及び建物の構築方法の作用・効果の説明を行う。
【００３０】
本実施形態に係る仮設足場１は、下部支柱２０Ａ，２０Ｂ，２０Ｃ，２０Ｄが床開口部ＦＨの周縁の側面梁Ｈ３，Ｈ４に接続され、該下部支柱間の側面ビーム４０に作業床５０を架け渡す構成となっている。従って、床開口部ＦＨを有する二階床Ｆ２よりも高い位置に作業床５０が仮設される構成とすることができる。下部支柱２０Ａ，２０Ｂ，２０Ｃ,２０Ｄは、床開口部ＦＨの周縁の側面梁Ｈ３,Ｈ４に接続されているため、一階床Ｆ１から床開口部ＦＨへ連絡する構造物である階段ＳＰとは干渉することがなく、作業床５０も二階床Ｆ２の床面より高い位置に仮設することができるため、床開口部ＦＨを塞がない。すなわち、仮設足場１を用いて上階の梁・床等の架構、床開口部ＦＨの上方の天井、床開口部ＦＨに周辺の壁を構築する作業を安全に行なう一方で、他の作業者は、作業床５０と床開口部ＦＨの周縁との間のスペースを通過することによって、階段ＳＰ及び床開口部ＦＨを使用しての昇降あるいは資材等の搬入搬出を行うことができる。また、仮設足場１は、昇降機などの専用装置ややぐら状の大型の足場に比して大幅に簡単な構成で設置することが可能となるため、戸建て住宅等の小規模な建物に有効に適用することができる。以上によって、仮設足場１を設置した状態であっても、作業者の昇降あるいは資材等の搬入搬出などに支障をきたすことなく、床開口部ＦＨを使用することができる。
【００３１】
また、本実施形態に係る仮設足場１において、下部支柱２０Ａ，２０Ｂ，２０Ｃ,２０Ｄの上端には、作業床５０から所定の高さ起立した手摺を構成する上部支柱６０及び桟材７０が連結される。このように、下部支柱２０Ａ，２０Ｂ，２０Ｃ,２０Ｄの上端に手摺を備えることで、作業床５０での作業を安全に行うことができる。
【００３２】
また、本実施形態に係る仮設足場１において、作業床５０は、平面視長方形の複数の板部材５１Ａ，５１Ｂ，５１Ｃ，５１Ｄから構成されている。作業床５０が複数の板部材５１Ａ，５１Ｂ，５１Ｃ，５１Ｄに分割されて一枚あたりの重さが抑えられているので、仮設作業を安全に行なうことができる。
【００３３】
また、本実施形態に係る仮設足場１において、床開口部ＦＨには一階床Ｆ１との連絡用の階段ＳＰが設けられており、複数の板部材５１Ａ，５１Ｂ，５１Ｃ，５１Ｄは、床開口部ＦＨの周縁から階段ＳＰを降りる方向Ｄ１に沿って並んでいる。板部材５１Ａ，５１Ｂ，５１Ｃ，５１Ｄは、床開口部ＦＨの周縁、すなわち階段ＳＰの登り切り位置ＵＰから階段ＳＰを降りる方向Ｄ１に沿って並んでいるため、登り切り位置ＵＰ側における板部材５１Ａ、更に５１Ｂを取り外すことによって、床開口部ＦＨの周縁と作業床５０との間のスペースを広くすることができる。従って、階段ＳＰの登り切り位置ＵＰ側における一部の板部材５１Ａ、更には板部材５１Ｂのみを一時的に取り外すことで、登り切り位置ＵＰ付近において充分な高さを確保することができ、階段ＳＰを用いた長大な建築資材等の搬入作業をスムーズに行なうことができる。
【００３４】
また、本実施形態に係る建物の構築方法は、床開口部ＦＨが形成される二階床Ｆ２を構築したのち、上述の仮設足場１を設置し、該仮設足場１を用いて床開口部ＦＨ周辺の架構を構築する。更に、仮設足場１を用いて床開口部ＦＨ周辺の内装天井及び壁を構築する。本実施形態に係る建物の構築方法では、上述の仮設足場１を使用することによって、床開口部ＦＨ周辺の架構や内装天井及び壁の構築作業を極めて安全に行なうことができる。
【００３５】
本発明は、上述の実施形態に限定されるものではない。
【００３６】
例えば、上述の実施形態では、Ｕターン形式の階段に対する床開口部に設置される仮設足場の構成を例示したが、どのようなタイプの階段に対する床開口部であってもよく、例えば直線形式の階段に対する床開口部に仮設足場を設置してもよい。また、階段ＳＰが設けられていない床開口部に対して本発明に係る仮設足場を設置してもよい。例えば、ホームエレベーター用の床開口部、室内空間に広がりを持たせる吹抜けを構成するための床開口部に適用してもよい。
【００３７】
また、下部支柱が四本の場合の構成について説明したが、更に支柱を増やしてもよい。また、支柱の長さを長くすることによって、下部支柱と上部支柱を一体としてもよい。
【符号の説明】
【００３８】
１…仮設足場、２０Ａ，２０Ｂ，２０Ｃ，２０Ｄ…下部支柱（支柱）、４０…ビーム（水平材）、５０…作業床、５１Ａ，５１Ｂ，５１Ｃ，５１Ｄ…板部材、６０…上部支柱（手摺）、７０…桟材（手摺）、ＳＴ…建物、ＦＨ…床開口部、ＳＰ…階段。
【図１】
0005689273.tif 000002
【図２】
0005689273.tif 000003
【図３】
0005689273.tif 000004